(57)【要約】【課題】通話に悪影響を及ぼすことなく、オーバーリーチ状態を回避することのできる携帯電話装置を提供する。【解決手段】携帯電話装置は、無線性能の良好な第１の状態と、第１の状態よりも無線性能の劣る第２の状態とを切り替えて無線通信を行う無線通信部１１と、無線通信部１１による受信感度を監視しており、受信感度に基づいてハンドオーバを行うよう無線通信部１１を制御する制御部１３と、を備え、制御部１３は、通話を開始するイベントが生じると、無線通信部１１が第１の状態にあるか第２の状態にあるかを判別し、第１の状態にあれば第１の状態を継続して通話に遷移し、第２の状態にあれば第１の状態に無線通信部１１を切り替えてから通話に遷移する。【選択図】図１
2008278052.tif 000002
【特許請求の範囲】
【請求項１】
無線性能の良好な第１の状態と、前記第１の状態よりも無線性能の劣る第２の状態とを切り替えて無線通信を行う無線通信部と、
前記無線通信部による受信感度を監視しており、当該受信感度に基づいてハンドオーバを行うよう前記無線通信部を制御する制御部と、を備え、
前記制御部は、
通話を開始するイベントが生じると、前記無線通信部が前記第１の状態にあるか前記第２の状態にあるかを判別し、前記第１の状態にあれば当該第１の状態を継続して通話に遷移し、前記第２の状態にあれば前記第１の状態に前記無線通信部を切り替えてから通話に遷移する
ことを特徴とする携帯電話装置。
【請求項２】
前記無線通信部により送受される音声を入出力する音声処理部を備えるとともに、当該音声処理部はハンズフリー通話と非ハンズフリー通話との２つの通話状態を選択可能であり、
前記制御部は、
前記イベントが生じると、前記ハンズフリー通話と非ハンズフリー通話のいずれであるか選択されている前記通話状態の判定を行い、前記ハンズフリー通話を選択されていると判定される場合には前記第１の状態あるいは第２の状態を継続したまま通話に遷移する
ことを特徴とする請求項１に記載の携帯電話装置。
【請求項３】
前記制御部は、
前記イベントが生じると、当該イベントが生じてからの受信感度を取得して、前記イベント発生前後の受信感度を比較し、前記イベント発生前よりも受信感度が低下した場合には選択されている通話状態が前記ハンズフリー通話であると判定する
ことを特徴とする請求項２に記載の携帯電話装置。
【請求項４】
前記制御部は、
待ち受け状態において、自局周辺にハンドオフ可能な基地局が所定数以上存在し、かつ待ち受け中の基地局からの信号に基づいて所定の条件が成立すると判定される場合には前記無線通信部を前記第１の状態に設定し、ハンドオフ可能な基地局が所定数以上存在しない、あるいは前記所定の条件が成立しないと判定される場合には前記無線通信部を前記第２の状態に設定する
ことを特徴とする請求項１から３のいずれか一項に記載の携帯電話装置。
【請求項５】
前記無線通信部は、待ち受け中の前記基地局から近隣基地局に関する情報である近隣基地局情報を取得し、
前記制御部は、前記近隣基地局情報から前記ハンドオフ可能な基地局の数を取得する
ことを特徴とする請求項４に記載の携帯電話装置。
【請求項６】
前記制御部は、待ち受け中の前記基地局からの受信感度が所定値を超えているか、待ち受け中の前記基地局からの信号取得のためのサーチウィンドウのサイズが所定値より大きいか、あるいは前記通信中の基地局に対する前記無線通信部の送信出力が第２の所定値を超えているか、の少なくともいずれかにより前記所定の条件を満たすか否かを判定する
ことを特徴とする請求項４または５に記載の携帯電話装置。
【請求項７】
前記制御部は、
前記通話が終了すると、前記無線通信部を、前記第１の状態あるいは第２の状態のうち、通話遷移前に選択されていた状態に戻す
ことを特徴とする請求項４から６のいずれか一項に記載の携帯電話装置。
【請求項８】
前記制御部は、通信を開始する際、通話目的かデータ通信目的かを判定し、通話目的である場合には前記通話を開始するイベントの発生であると判断し、データ通信目的である場合には前記イベントに基づく前記無線通信部の状態切り替えを行わない
ことを特徴とする請求項１から７のいずれか一項に記載の携帯電話装置。
【発明の詳細な説明】
【技術分野】
【０００１】
本発明は、複数の基地局を有する無線通信網において、当該複数の基地局を介し、相手先と無線通話を行う、携帯電話装置に関する。
【背景技術】
【０００２】
ＣＤＭＡ（Code Division Multiple Access）方式の携帯電話装置は、セルの移動に伴い、待ち受け中（通信中）の基地局から他の基地局へと通信チャネルを切替えるハンドオフを実行する。ハンドオフには、通信中の基地局との通信を終了する前に、同じ周波数上で他の基地局との通信を開始するソフトハンドオフと、待ち受け中の基地局との通信を切断後に異なる基地局グループ、異なる周波数割り当てあるいは異なるフレームオフセットの基地局との通信を開始するハードハンドオフとがある。これらハンドオフについては特許文献１、特許文献２に詳細に開示されている。
【０００３】
また、上記した携帯電話装置は、１個のチャネルを用いて位置登録を行うことにより、以降、基地局との間で通信を行うことができる。ここで、位置登録とは、自身の居場所を基地局に対して通知する行為をいい、定期的に周辺の周波数帯のチャネルサーチを行い、電波強度が十分なチャネルがあればそのチャネルに時間的同期をとるページング待ち受け状態をいう。したがって、比較的利得が高い高性能アンテナを使用した場合、特に、市街地の基地局配置（インフラ）によれば、受信性能が良すぎてなかなかハンドオフのトリガが得られないことがある。
【０００４】
上記した受信性能をコントロールする技術は従来から多数提案され、出願されている。例えば、耳当て通話時の受信性能を向上させるために、スピーカ出力とハンズフリー通話とでアンテナマッチング回路を変更する技術（特許文献３参照）、あらかじめ２つのアンテナを備え、受信レベルの高いアンテナを切り替えて使用する技術（特許文献４参照）、音声通信とデータ通信とで使用するアンテナを切替える技術（特許文献５参照）等が知られている。
【特許文献１】特開２０００−１０２０５７号公報
【特許文献２】特開２００１−１５６７５２号公報
【特許文献３】特開２００２−１５２０７８号公報
【特許文献４】特開２０００−２２６０９号公報
【特許文献５】特開２００４−３４３５７７号公報
【発明の開示】
【発明が解決しようとする課題】
【０００５】
上記したように比較的高い利得を有する高性能アンテナを使用した携帯電話装置では、移動中であっても基地局の電波強度が未だ十分な電波強度を有していればハンドオフの閾値に満たず、したがってハンドオフは実行されないが、送信電波が届かないために、本来はハンドオフしたいシーンがある。
一方、携帯電話装置は、通話時に筐体に耳が当てられることにより、人体による電波遮蔽が生じ、マッチングインピーダンスの値がずれてアンテナと無線回路との間のインピーダンスが整合しなくなることがある。その結果、アンテナの受信感度が劣化し、あるいは送信出力が低下するという、相反する問題があった。
従来は、上記した、相反する２つの問題に対処するための技術が存在せず、上記した各特許文献にもその開示がない。
【０００６】
本発明は上記した課題を解決するためになされたものであり、通話に悪影響を及ぼすことなく、オーバーリーチ状態を回避することのできる携帯電話装置を提供することを目的とする。
【課題を解決するための手段】
【０００７】
上記した課題を解決するために本発明の携帯電話装置は、無線性能の良好な第１の状態と、前記第１の状態よりも無線性能の劣る第２の状態とを切り替えて無線通信を行う無線通信部と、前記無線通信部による受信感度を監視しており、当該受信感度に基づいてハンドオーバを行うよう前記無線通信部を制御する制御部と、を備え、前記制御部は、通話を開始するイベントが生じると、前記無線通信部が前記第１の状態にあるか前記第２の状態にあるかを判別し、前記第１の状態にあれば当該第１の状態を継続して通話に遷移し、前記第２の状態にあれば前記第１の状態に前記無線通信部を切り替えてから通話に遷移するように制御する。
【０００８】
また、本発明の携帯電話装置は、前記無線通信部により送受される音声を入出力する音声処理部を備えるとともに、当該音声処理部はハンズフリー通話と非ハンズフリー通話との２つの通話状態を選択可能であり、前記制御部は、前記イベントが生じると、前記ハンズフリー通話と非ハンズフリー通話のいずれであるか選択されている前記通話状態の判定を行い、前記ハンズフリー通話を選択されていると判定される場合には前記第１の状態あるいは第２の状態を継続したまま通話に遷移するように制御してもよい。
【０００９】
また、本発明の携帯電話装置において、前記制御部は、前記イベントが生じると、当該イベントが生じてからの受信感度を取得して、前記イベント発生前後の受信感度を比較し、前記イベント発生前よりも受信感度が低下した場合には選択されている通話状態が前記ハンズフリー通話であると判定するように制御してもよい。
【００１０】
また、本発明の携帯電話装置において、前記制御部は、待ち受け状態において、自局周辺にハンドオフ可能な基地局が所定数以上存在し、かつ待ち受け中の基地局からの信号に基づいて所定の条件が成立すると判定される場合には前記無線通信部を前記第１の状態に設定し、ハンドオフ可能な基地局が所定数以上存在しない、あるいは前記所定の条件が成立しないと判定される場合には前記無線通信部を前記第２の状態に設定するように制御してもよい。
【００１１】
また、本発明の携帯電話装置において、前記無線通信部は、待ち受け中の前記基地局から近隣基地局に関する情報である近隣基地局情報を取得し、前記制御部は、前記近隣基地局情報から前記ハンドオフ可能な基地局の数を取得するように制御してもよい。
【００１２】
また、本発明の携帯電話装置において、前記制御部は、待ち受け中の前記基地局からの受信感度が所定値を超えているか、待ち受け中の前記基地局からの信号取得のためのサーチウィンドウのサイズが所定値より大きいか、あるいは前記通信中の基地局に対する前記無線通信部の送信出力が第２の所定値を超えているか、の少なくともいずれかにより前記所定の条件を満たすか否かを判定するように制御してもよい。
【００１３】
また、本発明の携帯電話装置において、前記制御部は、前記通話が終了すると、前記無線通信部を、前記第１の状態あるいは第２の状態のうち、通話遷移前に選択されていた状態に戻すように制御してもよい。
【００１４】
また、本発明の携帯電話装置において、前記制御部は、通信を開始する際、通話目的かデータ通信目的かを判定し、通話目的である場合には前記通話を開始するイベントの発生であると判断し、データ通信目的である場合には前記イベントに基づく前記無線通信部の状態切り替えを行わないように制御してもよい。
【発明の効果】
【００１５】
本発明によれば、通話に悪影響を及ぼすことなく、オーバーリーチ状態を回避することのできる携帯電話装置を提供することができる。
【発明を実施するための最良の形態】
【００１６】
図１は、本発明の実施の形態に係る携帯電話装置の内部構成を示すブロック図である。図１に示されるように、携帯電話装置１０は、無線通信部１１と、音声処理部１２と、制御部１３と、記憶部１４と、操作部１５と、表示部１６とにより構成される。
【００１７】
無線通信部１１は、無線性能が良好な第１の状態と、第１の状態よりも無線性能が良好でない第２の状態とを切替えて基地局を含むネットワークとの間で通信を行う機能を有し、例えば、図２に示されるように、アンテナ１００と、ＲＦ（Radio Frequency）フィルタ１１１と、ＲＦ回路１１２と、ベースバンド部１１３（ＢＢ）とにより構成される。
【００１８】
ＲＦフィルタ１１１は、後述する制御部１３による制御の下で１本のアンテナ１００を送受信の別で切替えるスイッチであり、ＲＦ回路１１２およびＢＢ１３は、高周波変復調回路および増幅回路である。
【００１９】
ＲＦ回路１１２およびＢＢ１１３は、基地局を含むネットワークを介して受信される音声を含む信号を復調し（Ｒｘ）、あるいは制御部１３により生成される音声や信号を変調し（Ｔｘ）、ＲＦフィルタ１１１、アンテナ１００経由で基地局を含むネットワークとの間で送受信を行う。アンテナ１００の切り替え、ＲＦ回路１１２におけるＴｘ、Ｒｘの増幅（減衰）制御等については後述する。
【００２０】
音声処理部１２は、音声信号を取得してアナログ／デジタル変換を行い、更に符号化等の信号処理を施し、デジタルの音声データに変換して制御部１３へ出力する。
また、音声処理部１２は、制御部１３から出力される音声データに復号化処理を施し、デジタル／アナログ変換を行い、増幅等の信号処理を施し、スピーカ（ＳＰ）へ出力する。
なお、音声処理部１２には、スピーカ（ＳＰ）やマイクロフォン（ＭＩＣ、以下、マイクという場合もある）を用いた非ハンズフリー通話の他に、ハンズフリー通話を行うために、イヤホンマイクジャック１７を介してイヤホンマイク１８が接続される。このため、音声処理部１２は、ハンズフリーによりイヤホンマイク１８から出力される音声信号や入力される音声信号の処理も行う。
すなわち、音声処理部１２は、イヤホンマイクジャック１７を介して入力される音声を増幅し、アナログ／デジタル変換を行い、更に符号化等の信号処理を施し、デジタルの音声データに変換して制御部１３に出力する。
また、音声処理部１２は、制御部１３から供給される音声データに復号化、デジタル／アナログ変換、増幅等の信号処理を施し、アナログの音声信号に変換してイヤホンマイクジャック１７を経由してイヤホンマイク１８に出力する。
【００２１】
また、イヤホンマイク１８を用いず、スピーカ（ＳＰ）やマイクロフォン（ＭＩＣ）の増幅度をより高ゲインにすることで、やはりユーザが携帯電話装置を手に持たずとも通話できるため、音声処理部１２はハンズフリー通話として、スピーカ（ＳＰ）やマイクロフォン（ＭＩＣ）のゲインを高めたり、高ゲインのスピーカ（ＳＰ）やマイクロフォン（ＭＩＣ）を使用するよう切り替えることによっても実現できる。
そして、このようなハンズフリー通話、非ハンズフリー通話の通話状態の設定は、操作部１５の操作やイヤホンマイクジャック１７へのイヤホンマイク１８の接続検出に基づいて制御部１３が行う。
【００２２】
制御部１３は、無線通信部の受信電界強度に基づいてハンドオフを行うように無線通信部１１を制御する機能を有し、具体的には、通話を開始する際、無線通信部１１の無線性能が第１の状態にあるか第２の状態にあるかを判別し、第１の状態にあれば当該第１の状態を継続して通話に遷移し、第２の状態にあれば第１の状態に切替えて通話に遷移するように制御する。
ここで、無線性能が第１の状態にあるか第２の状態にあるかの判定は後述する閾値との比較により決定されるものであり、第１の状態とは比較的受信性能が良い状態、第２の状態とは、第１の状態に比較して受信性能が低い状態をいう。
制御部１３は、図１にその内部構成が機能展開して示されるように、主制御部１３０と、サーチ制御部１３１と、ハンドオフ処理部１３２と、周波数設定部１３３と、サーチウィンドウ設定部１３４と、ハンズフリー検出部１３５とにより構成される。
【００２３】
また、制御部１３は、イヤホンマイクジャック１７へのイヤホンマイク１８の接続が検出されたり、操作部１５へのハンズフリー通話状態設定指示操作が検出されたりした場合には音声処理部１２の通話状態の設定をハンズフリー通話に設定し、その他の場合には非ハンズフリー通話に設定する。
【００２４】
主制御部１３０は、不図示のＣＰＵ、ＲＯＭ、ＲＡＭにより構成され、ＣＰＵがＲＯＭに記録されたプログラムを逐次読み出し実行することにより、サーチ制御部１３１と、ハンドオフ処理部１３２と、周波数設定部１３３と、サーチウィンドウ設定部１３４と、ハンズフリー検出部１３５とを制御し、後述するように、周辺にハンドオフ可能な基地局が所定数以上存在し、かつ、待ち受け中の基地局が比較的カバーエリアの小さなセル（例えば、カパーエリアが数百メートル程度のマイクロセル）であるという所定の条件が成立した場合に、ハンドオフを実行する制御部１３としてのシーケンス制御を行う。
また、主制御部１３０は、通話を開始する際、無線通信部１１の無線性能が第１の状態にあるか第２の状態にあるかを判別し、第１の状態にあれば当該第１の状態を継続して通話に遷移し、第２の状態にあれば第１の状態に切替えて通話に遷移するように制御する制御部１３としての機能も実行する。
【００２５】
サーチ制御部１３１は、通信中における近隣基地局や、ハードハンドオフ時におけるハンドオフ先基地局のパイロットチャネルサーチを行う。パイロットチャネルは、各基地局が連続して送信する信号であり、このパイロットチャネルにより、下りＣＤＭＡチャネルのタイミングを捕捉することができる。
各基地局は、周期が異なるＰＮ系列により異なるタイミングでパイロットチャネルを拡散するため、サーチ制御部１３１は、同タイミングを特定することによって基地局を特定することができる。
【００２６】
サーチ制御部１３１は、近隣基地局のパイロットサーチによって、現行のＣＤＭＡ周波数割り当て上でパイロットチャネルをサーチし、他の基地局のパイロットチャネルの存在を検出してその電波強度を測定する。
ここで、十分な電波強度を有する他の基地局のパイロットチャネルを検出した場合、通信中の基地局に対してパイロット強度測定メッセージを送信し、基地局はそれに応えてハンドオフの実行を指示する。また、サーチ制御部１３１は、ハードハンドオフ時のハンドオフ先の基地局のパイロットサーチによりハンドオフ先基地局の同期捕捉も行う。
【００２７】
ハンドオフ処理部１３２は、主制御部１３０を介して基地局からハンドオフ指示メッセージを受け付けると、周波数設定部１３３、サーチウィンドウ設定部１３４を制御してハンドオフを実行する。
ハンドオフ処理部１３２は、ハンドオフ指示メッセージを解析して、ハンドオフ種別、周波数割り当て、パイロットＰＮ系列オフセット、サーチウィンドウサイズ等を特定する。ここで、周波数割り当ては、ハンドオフ先基地局のチャネルに割当てられた周波数を示し、ハンドオフ種別がソフトハンドオフの場合は省略される。
また、ハンドオフ処理部１３２は、主制御部１３０を介して特定した周波数に同調して周波数変換を行うように無線通信部１１を制御する。また、ハンドオフ処理部１３２は、サーチウィンドウ設定部１３４に対し、サーチウィンドウサイズと、パイロットＰＮ系列オフセットと、ハンドオフ種別とを通知する。
【００２８】
なお、サーチ制御部１３１では、上述したように単に電波強度を測定するとしたが、信号波対干渉波比などの信号強度であってもよく、要は受信感度、受信品質が測定できれば良い。
【００２９】
周波数設定部１３３は、ハンドオフ処理部１３２が解析したハンドオフ指示に示されているハンドオフ先基地局の周波数割り当てに応じて無線通信部１１の周波数切り替え制御を行い、サーチウィンドウ設定部１３４は、ハンドオフ処理部１３２から通知されたサーチウィンドウサイズと、パイロットＰＮ系列オフセットと、ハンドオフ種別とに基づき、サーチ制御部１３１に対してパイロットサーチの際のサーチウィンドウのタイミングを通知する。
【００３０】
サーチウィンドウ設定部１３４は、通信中においてはサーチウィンドウの中心を各近隣基地局のパイロットＰＮ系列オフセットに設定してパイロットサーチを行う。
【００３１】
ハンズフリー検出部１３５は、イヤホンマイク１８がイヤホンマイクジャック１７に装着され、ハンズフリー通話が行われているか否かを検出する機能を有し、ハンズフリー通話が行われているか否かの検出は、例えば、通話前後のＲＳＳＩ（受信信号強度）の変化を監視することにより可能である。
【００３２】
なお、記憶部１４には、制御部１３が実行するアプリケーションプログラムの他に、各種データが格納される。ここでは、記憶部１４は、ハンドオフしやすいように受信性能を故意に劣化させるモードで待ち受けていることを示す不図示の受信性能劣化モードフラグを記憶する。
記憶部１４は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００３３】
一方、操作部１５には複数のキーが割当てられ、これらのキーがユーザによって操作（押圧および解放）された場合に、その操作内容に対応する信号を発生し、これをユーザの指示として制御部１３に入力する。
【００３４】
表示部１６は、例えば、液晶表示パネルや有機ＥＬ（Electro-Luminescence）パネルなどの表示デバイスを用いて構成されており、制御部１３から供給される映像信号に応じた画像を表示する。表示部１６は、例えば、発信時における発信先の電話番号、着信時における着信相手の電話番号、受信メールや送信メールの内容、日付、時刻、バッテリ残量、発信成否、待ち受け画面などの各種の情報や画像を表示する。
【００３５】
図３、図４は、本発明の実施の形態に係る携帯電話装置の前提となる動作を説明するために示したフローチャートであり、基本動作（図３）、基地局パラメータ更新時における条件判定処理（図４（ａ））、送信時における条件判定処理（図４（ｂ））のそれぞれを示す。
以下、図３、図４に示すフローチャートを参照しながら、本発明の実施の形態に係る携帯電話装置の動作について詳細に説明する。
【００３６】
図３のフローチャートにおいて、携帯電話装置１０は、停止あるいは移動中、例えば、基地局Ａで待ち受け状態にあるものとし、まず、以下に示す条件１が成立するか否かを判定する（ステップＳ３１）。
すなわち、制御部１３（主制御部１３０）は、電源投入時、ハンドオフ発生時、あるいは所定の周期にしたがい基地局Ａのパラメータ更新が行われるタイミングで、図４（ａ）に示されるように、受信レベルが閾値Ｒより大きいか（ステップＳ３１１“Ｙｅｓ”）、もしくは、図４（ｂ）に示されるように送信パワーが一定レベル（Ｌ／Ｍ／Ｈ）以上で継続（Ｔ時間）して送信された場合には（ステップＳ３１２“Ｙｅｓ”）条件をＴＲＵＥとし（否の場合はＦＡＬＳＥ）、図３に示すステップＳ３２の処理に移行する。なお、ここで、送信パワーは、携帯電話装置１０側で自律的なコントロールも可能であるが、基地局主導のパワーコントロールとする。
【００３７】
次に、制御部１３（主制御部１３０）は、ステップＳ３２にて、更に、基地局Ａから発行される近隣基地局リストに含まれる複数の基地局のパラメータに基づき、近隣基地局が所定数（閾値Ｙ）以上あるか否かを判定する。ここで、近隣基地局の数が閾値Ｙを越えていた場合（ステップＳ３２“Ｙｅｓ”）、主制御部１３０は、更に、電波のカバーエリアが比較的小さい基地局（以下、小セルという）にいるか否かの判定を行う（ステップＳ３３）。カバーエリアが比較的小さい基地局にいるか否かの判定は、基地局パラメータのサーチウィンドウサイズを参照することにより可能である。
【００３８】
ここで、サーチウィンドウサイズが閾値Ｚ以下であった場合（ステップＳ３３“Ｙｅｓ”）、主制御部１３０は、現在待ち受け中の基地局のカバーエリアは小セルであると判定し、ハンドオフし易いように携帯電話装置１０の状態を切替える（ステップＳ３４）。ハンドオフし易いように携帯電話装置１０の状態を切替えるためには、ここでは、ハードウェアによりアンテナ利得を減衰させることで対応するものとする。
【００３９】
具体的に、一つは、使用するアンテナ１００の性能を、通常の利得を有するアンテナに切替える方法が考えられる。すなわち、図３に示す状態切り替えのタイミング（ステップＳ３４）で、例えば、図２に示す無線通信部１１のＲＦフィルタ１１１にて高利得アンテナから通常の利得を有するアンテナに使用を切替える。
このとき、制御部１３（主制御部１３０）は、所定の条件下において、所定の条件以外の場合よりもアンテナの利得を低減させることによりハンドオフの判定基準を変更することができる。
【００４０】
また、制御部１３が高利得アンテナのマッチングインピーダンスを制御し、あるいは切替えることにより高利得アンテナのゲインを減衰させることも考えられる。図５にアンテナ放射パターンの概念図が示されている。図５中、太線で示される放射パターンが高利得アンテナ、細線で示される放射パターンが通常のアンテナである。
更に、高利得アンテナのアンテナ端子へ減衰器（アッティネータ）の接続の有無によりアンテナの利得を制御することも考えられる。この場合、制御部１３（主制御部１３０）は、高利得アンテナに接続される不図示の減衰器のバイパスの有無を制御して高利得アンテナの利得を低減させることになる。
【００４１】
また、例えば、ＲＦ回路１１２のＲｘに含まれるＬＮＡ（ローノイズアンプ）のゲインを落とすことも考えられる。
このとき、制御部１３（主制御部１３０）は、高利得アンテナからの受信信号を増幅するＬＮＡのゲインを調整して高利得アンテナの利得を低減させる。図６は、縦軸にＬＮＡゲイン、横軸に受信レベルを目盛り、制御部１３（主制御部１３０）が段階的に制御してＬＮＡのゲインを調整する例（図６（ａ））、リニア制御によりＬＮＡのゲインを調整する例（図６（ｂ））のそれぞれを示している。
【００４２】
説明を図３のフローチャートに戻すと、上記のように、アンテナの利得を減衰させた後、ハンドオフ処理部１３２は、主制御部１３０を介して基地局からハンドオフ指示メッセージを受け付けると、周波数設定部１３３、サーチウィンドウ設定部１３４を制御して受信品質劣化モードにてハンドオフを実行する。続いて、主制御部１３０は、記憶部１４の所定の領域に割り付けられた受信品質劣化モードフラグをＯＮして後述する動作に備えるものとする（ステップＳ３５）。
【００４３】
上記したように、アンテナ性能（利得）を減衰させることによりハンドオフし易いように携帯電話装置の通信状態を切替えることで、エネルギーが高い状態でハンドオフを繰り返すため、安定した品質で安定した電波状態を維持することができる。
一方、無線性能が良い場合に、上記した良好なハンドオフ制御を行った場合、通話時の耳あて等により無線性能が悪化することは上記した通りであり、この場合、携帯電話装置１０が本来有する無線性能を引き出すことが出来ず、電波環境が悪化した場合に、通信品質の劣化や通話遮断に陥りやすくなる。このため、無線性能に影響を及ぼす使われ方をする場合（ここでは耳当て通話）に、上記した受信品質劣化モードから本来の無線性能を引き出す状態に切替え、良好な通話品質を維持することのできる携帯電話装置を提供することが本発明の主旨である。以下に、図７以降を参照しながら詳細に説明を行う。
【００４４】
図７は、本発明の実施の形態に係る携帯電話装置１０の動作の一例を示すフローチャートである。
【００４５】
図７のフローチャートに示されるように、例えば、市街地等で無線性能を落とした状態（受信品質劣化モード）での待ち受け中、操作部１５のキー操作（発着信ボタン）により発着信が行われると（ステップＳ７０１“Ｙｅｓ”）、制御部１３（主制御部１３０）は、記憶部１４の所定の領域に割り付けられ記憶された通話品質劣化モードフラグの内容を参照し、受信品質を故意に劣化させているか否かを判定する（ステップＳ７０２）。
【００４６】
なお、ステップＳ７０１において、発信操作時だけでなく、ページングチャネル上で着呼が通知されたことを検出し、着信報知を行う際にも通話イベントの発生であると主制御部１３０が判断（ステップＳ７０１“Ｙｅｓ”）してもよい。また、通信が開始される際にデータ通信であると判断されると、通話目的のイベントではないと判断（ステップＳ７０１“Ｙｅｓ”）し、無線性能を切り替える処理を行わず、設定状態を維持する。データ通信目的の通信かどうかは、インターネットなどのデータ通信を要求する操作や、メール送受信アプリケーションからの通信要求が生じたかどうかなどにて主制御部１３０が判断できる。
【００４７】
ここで、受信品質劣化モードフラグがＯＮしていた場合（ステップＳ７０２“Ｙｅｓ”）、主制御部１３０は、受信品質を故意に劣化させて待受けしているものと判定し、更に、音声通話の際の音声処理部１２におけるスピーカ（ＳＰ）の出力先を判定する（ステップＳ７０３）。ここで、イヤホンマイク１８側出力ではなくスピーカ出力であって、ハンズフリー用の高ゲイン設定ではなく耳にスピーカを当てていると判定された場合には（ステップＳ７０３“Ｙｅｓ”）、ハンズフリー検出部１３５にて通話前後におけるＲＳＳＩ（受信電界強度：Received Signal Strength Indicator）の差分を閾値と比較してＲＳＳＩの変化の有無を判定する（ステップＳ７０５）。
すなわち、通話開始処理のイベントが発生する前は当然にＲＳＳＩを随時取得しているが、通話開始処理中においてもＲＳＳＩ測定および取得を改めて行い、イベント前後のＲＳＳＩを比較する。
ここで、ＲＳＳＩに変化ありと判定された場合（Ｓ７０５“Ｙｅｓ”）、主制御部１３０は、無線通信部１１を制御して受信性能を劣化させる前の第１の状態に切り替える（ステップＳ７０６）。すなわち、図３のフローチャートのステップＳ３４で説明したハンドオフ前の高品質での受信状態に戻し、通話の終了を検知した場合に（ステップＳ７０７“Ｙｅｓ”）、受信状態を発着信前の受信性能劣化モード状態に戻す（ステップＳ７０８）。
【００４８】
一方、ステップＳ７０５の処理において、ＲＳＳＩに変化がないと判定された場合は（ステップＳ７０５“Ｎｏ”）、受信性能（受信品質劣化モード）をそのままの状態（第２の状態）として通話を継続し（ステップＳ７１０）、通話の終了を検知して（ステップＳ７１１“Ｙｅｓ”）して待受け状態に移行する。
なお、ステップＳ７０２の処理において、受信品質劣化モードフラグがＯＦＦ設定されていた場合（ステップＳ７０２“Ｎｏ”）、あるいは、ステップＳ７０３の処理において、ハンズフリー通話であれば（ステップＳ７０２“Ｎｏ”）、更に、着信応答の有無を判定する（ステップＳ７０９）。ここで、着信応答があった場合（ステップＳ７０９“Ｙｅｓ”）、通話が問題なく行われていることから、受信性能（受信品質劣化モード）をそのままの状態として通話を継続し（ステップＳ７１０）、着信応答が無い場合は（ステップＳ７０９“Ｎｏ”）は待受け状態に移行する。
【００４９】
図８は、本発明の実施の形態に係る携帯電話装置１０の他の動作の一例を示すフローチャートである。
【００５０】
図８のフローチャートにおいて、図７との差異は、図７では、制御部１３（主制御部１３０）は、ＲＳＳＩを一回のみ計測してその変化の有無を判定したのに対し、ここでは、通信移行前と、着信あり時と、送信時の３回計測し（ステップＳ８０３、Ｓ８０５、Ｓ８０７）、通信移行前または着信あり時のＲＳＳＩと、送信時のＲＳＳＩに変化があるか否かを判定（ステップＳ８０８）している点が異なる。他の動作は、図７と同様である。
【００５１】
すなわち、ＲＳＳＩに変化ありと判定された場合（ステップＳ８０８“Ｙｅｓ”）、受信性能を劣化させる前の高品質の状態に切り替え（ステップＳ８０９）、通話の終了を検知（ステップＳ８１０“Ｙｅｓ”）した場合に受信状態を発着信前の受信性能劣化モード状態に戻す（ステップＳ８１１）。
なお、ステップ８０２の処理において、受信品質劣化モードフラグがＯＦＦ設定されていた場合は（ステップＳ８０２“Ｎｏ”）、更に、着信応答の有無を判定し（ステップＳ８１２）、着信応答があった場合（ステップＳ８１２“Ｙｅｓ”）、あるいはステップＳ８０８の処理にてＲＳＳＩに変化がないと判定された場合は（ステップＳ８０８“Ｎｏ”）、通話が問題なく行われているため、受信性能（受信品質劣化モード）をそのままの状態として通話を継続し（ステップＳ８１３）、着信応答が無い場合に（ステップＳ８１２“Ｎｏ”）、待ち受け状態に移行する。
【００５２】
以上説明のように本発明の実施の形態に係る携帯電話装置１０によれば、無線性能が良好な場合の待受け時のハンドオフが意図されたように動き、このため圏外サーチを頻繁に行うことがなくなり、また、小刻みにハンドオフを実行することにより電波をロストすることがなくなり、したがって待受け中にオーバーリーチ基地局を捕捉する可能性が低くなる。また、上記したハンドオフ処理実行中の通話時、耳あて等による人体特性により無線性能が悪化した場合には、本来有する良好な無線性能を引き出すことにより、通信品質の劣化や通話遮断に陥ることを回避でき、良好な通話品質を確保することができる。
したがって、通話に悪影響を及ぼすことなく、オーバーリーチ状態を回避することのできる携帯電話装置１０を提供することができる。
【００５３】
なお、図１に示す本発明の実施の形態に係る携帯電話装置１０が有する各構成ブロックの機能は、全てをソフトウェアによって実現しても、あるいはその少なくとも一部をハードウェアで実現してもよい。
例えば、無線通信部１１、音声処理部１２、制御部１３（主制御部１３０、サーチ制御部１３１、ハンドオフ処理部１３２、周波数設定部１３３、サーチウィンドウ設定部１３４、ハンズフリー検出部１３５）におけるデータ処理は、１または複数のプログラムによりコンピュータ上で実現してもよく、また、その少なくとも一部をハードウェアで実現してもよい。
【図面の簡単な説明】
【００５４】
【図１】本発明の実施の形態に係る携帯電話装置の内部構成の一例を示すブロック図である。
【図２】図１に示す無線通信部の内部構成の一例を示すブロック図である。
【図３】本発明の実施の形態に係る携帯電話装置の前提となる基本動作を示すフローチャートである。
【図４】図３における条件判定処理の詳細なフローチャートである。
【図５】本発明の実施の形態に係る携帯電話装置において使用されるアンテナの放射特性を示す図である。
【図６】本発明の実施の形態に係る携帯電話装置において使用されるＬＮＡのゲイン制御の一例をグラフ表示した図である。
【図７】本発明の実施の形態に係る携帯電話装置の動作の一例を示すフローチャートである。
【図８】本発明の実施の形態に係る携帯電話装置の他の動作の一例を示すフローチャートである。
【符号の説明】
【００５５】
１０…携帯電話装置、１１…無線通信部、１２…音声処理部、１３…制御部、１４記憶部、１５操作部、１６…表示部、１７…イヤホンマイクジャック、１８…イヤホンマイク、１００…アンテナ、１１１…ＲＦフィルタ、１１２…ＲＦ回路、１１３…ベースバンド部（ＢＢ）、１３０…主制御部、１３１…サーチ制御部、１３２…ハンドオフ処理部、１３３…周波数設定部、１３４…サーチウィンドウ設定部、１３５…ハンズフリー検出部。
【図１】
2008278052.tif 000003
【図２】
2008278052.tif 000004
【図３】
2008278052.tif 000005
【図４】
2008278052.tif 000006
【図５】
2008278052.tif 000007
【図６】
2008278052.tif 000008
【図７】
2008278052.tif 000009
【図８】
2008278052.tif 000010